(57)【要約】【課題】本考案はコンパクトに折り畳めてかばんや衣類のポケットに収納して容易に携帯することが可能であり、伸縮性に優れて着脱が容易である保温具を提供する。【解決手段】ポリウレタン弾性糸を芯糸とし、ポリプロピレン、ポリエステル、ポリエチレン、ナイロンから選ばれる鞘糸とするカバーリング糸１本のみで筒状に平編して成ることを特徴とする携帯保温具とする。芯糸の太さは１０デニール乃至４０デニール、鞘糸の太さは７０デニール乃至２５０デニール、カバーリング糸のより回数は１ｍあたり１００回乃至５００回とすることが好ましい。【選択図】図１
0003204170.tif 000002
【実用新案登録請求の範囲】
【請求項１】
弾性糸を芯糸として鞘糸を巻きつけたカバーリング糸１本のみで筒状に平編して成る、
ことを特徴とする携帯保温具。
【請求項２】
前記芯糸はポリウレタン弾性糸である、
ことを特徴とする請求項１に記載の携帯保温具。
【請求項３】
前記鞘糸はポリプロピレン糸、ポリエステル糸、ポリエチレン糸、ナイロン糸、綿糸、アクリル糸のいずれかである、
ことを特徴とする請求項１または請求項２に記載の携帯保温具。
【請求項４】
前記芯糸は太さが１０デニール乃至４０デニールとされている、
ことを特徴とする請求項１乃至請求項３のいずれかに記載の携帯保温具。
【請求項５】
前記鞘糸は太さが７０デニール乃至２５０デニールとされている、
ことを特徴とする請求項１乃至請求項４のいずれかに記載の携帯保温具。
【請求項６】
前記鞘糸は中空糸である、
ことを特徴とする請求項１乃至請求項５のいずれかに記載の携帯保温具。
【請求項７】
前記カバーリング糸の撚りは１ｍあたり１００回乃至５００回とされている、
ことを特徴とする請求項１乃至請求項６のいずれかに記載の携帯保温具。
【請求項８】
筒状の本体の両端開口部付近にゴム糸を備えている、
ことを特徴とする請求項１乃至請求項７のいずれかに記載の携帯保温具。
【請求項９】
全編地面積の２０％以下の面積の編地が添え糸編構成とされている、
ことを特徴とする請求項１乃至請求項８のいずれかに記載の携帯保温具。
【請求項１０】
前記携帯保温具は、レッグウォーマー、レッグカバー、アームウォーマー、アームカバー、リストウォーマー、足首ウォーマー、腹巻のいずれかである、
ことを特徴とする請求項１乃至請求項９のいずれかに記載の携帯保温具。
【請求項１１】
前記携帯保温具は、レッグウォーマー、レッグカバー、アームウォーマー、アームカバー、リストウォーマー、足首ウォーマーのいずれかであり、かつ、その重量が１５ｇ乃至２５ｇとされている、
ことを特徴とする請求項１乃至請求項９のいずれかに記載の携帯保温具。
【考案の詳細な説明】
【技術分野】
【０００１】
本発明は、編地で構成され、主に腕や足に装用して使用する保温具に関するものである。より詳細には、軽量であり、小さく畳んで携帯することが容易であり、しかも伸縮性に富んで頗る容易に装着が可能とされた携帯保温具に関する。
【背景技術】
【０００２】
従来より、寒期にはレッグウォーマーやアームウォーマーのように、主に筒状の編地にて構成され、腕や足に装用して使用する保温具が利用されている。これらは、外出時等に使用される靴下や手袋のような防寒具に加えて更なる保温性を得るために頻繁に利用される。また、近年の省エネ意識の高まりから室内の暖房温度を低めに設定することもしばしば行われる状況下、このような保温具は、今後ますます活用される機会が増えると予想される。
【０００３】
このような繊維製品の例として、実用新案登録第３１８０３０４号公報には、筒状のレッグウォーマー本体を二重構造とし、装用者の下腿部に対向する内側を構成する編地の締付圧力を、外気に対向する外側を構成する編地の締付圧力よりも大きくした考案が開示されている。この考案は二重構造で厚手であるため保温力が高く、しかも快適に装用することが可能なレッグウォーマーを提供するものである。
【０００４】
また、実用新案登録第３１８０３５４号公報には、表編地と裏編地を連続的に筒状に編製し、連続的に編製された筒状の編地の裏編地を表編地の内側に折り重ねた構造のレッグウォーマーが開示されている。この考案では、表編地と裏編地が連続しておりかつほぼ同径に編製されているため、装用時に厚さが出にくく、すっきりした外観となる。また、外したときにも比較的嵩張らないので、携帯性にも優れている。
【０００５】
上記の例のように、従来のレッグウォーマーをはじめとした保温具は、十分な保温性を実現するために厚い編地を利用する、または、やや薄手の編地であったとしてもこれを二重にして空気層を確保することが常であった。良好な保温性を実現するには、このような構成は不可欠だからである。
【０００６】
しかし、本願の考案者はこれら保温性を重視した従来の保温具とは異なる保温具が求められていると考えた。暖房温度を低めに設定された室内環境や公共交通機関利用時には、そもそも寒期に外出する際のような強力な保温性は求められていない。室内にも関わらず肌寒く感じられたり、長時間作業をした際に膝や肘が冷えている、というような不快感に対しては、ある程度の保温性を備えていれば十分軽減できるからである。また、外出時であってもレッグウォーマー等の保温具のみに頼って寒さをしのぐことはまれであり、通常は靴下や手袋をはじめとする防寒具を使用した上で不足する部分を補う意味合いでレッグウォーマー等の保温具を追加することが多い。このような目的には、強力な保温性を備えているよりも、次のような性質を備えた保温具のほうがむしろ使い勝手がよいことが多い。すなわち、軽量で、コンパクトに折り畳めてかばんや衣類のポケットに収納して容易に携帯することが可能であり、かつ、伸縮性に優れて着脱が容易であることが重要なのである。
【先行技術文献】
【特許文献】
【０００７】
【特許文献１】実用新案登録第３１８０３０４号公報
【特許文献２】実用新案登録第３１８０３５４号公報
【考案の概要】
【考案が解決しようとする課題】
【０００８】
本考案が解決しようとする課題は上記の通り、従来の欠点が解消された新たな保温具を提供することである。すなわち、コンパクトに折り畳めてかばんや衣類のポケットに収納して容易に携帯することが可能であり、伸縮性に優れて着脱が容易である保温具を提供し、主に室内や公共交通機関利用時等に肌寒さや関節の冷えを感じた際にすばやく装用することを可能とすることが、本考案が解決しようとする課題である。
【課題を解決するための手段】
【０００９】
（１）上記説明した課題を解決するため、本考案においては、
弾性糸を芯糸として鞘糸を巻きつけたカバーリング糸１本のみで筒状に平編して成る、
ことを特徴とする携帯保温具としている。
【００１０】
糸を筒状に平編してなる保温具はレッグウォーマーをはじめとして従来より様々なものが上市されている。しかし、これら従来の繊維製品は主糸に補強糸を添えて編まれた添え糸編構成とされることが常である。なぜなら、例えばレッグウォーマーに適用した場合の例では、強力な保温性を実現するために厚い編地を得なければならず、また装用者の歩行時等に装用者の足から抜け落ちてしまわないだけの張力を維持できなければならず、さらに歩行した際に他の衣類などとの強い摩擦にさらされるために強い耐久性も必要であるというように様々な機能が必要であるところ、特色ある補強糸を添えて編まれた添え糸編構成とすることでこれら機能を実現することができるからである。しかし、すでに説明したとおり、本考案に係る携帯保温具では、むしろ、小さく折り畳め、軽量で、伸縮性に優れて容易に着脱できることが重要である。
【００１１】
そこで、本願の考案者は補強糸を用いず、弾性糸である主糸のみで携帯保温具を編製することを試みた。補強糸が無いため、編地は薄手であり、強い耐久性を備えるものでもないが、このようにして得られた携帯保温具は小さく折り畳め、軽量で、伸縮性に優れて容易に着脱できるものとなった。さらに、本願の考案者は、主糸として、弾性糸を芯糸として鞘糸を巻きつけたカバーリング糸を用いることとした。芯糸の材質や太さは、携帯保温具に必要な伸縮性や締付力を得られるものでなければならず、これは必ずしも肌触りや風合いといった観点では最良の結果が得られるものではない。しかし、これに鞘糸を巻きつけたカバーリング糸を用いると、伸縮性や締付力は芯糸で決まる一方、鞘糸の選択によって肌触りや風合いが良好な携帯保温具を得ることができ、結果として、小さく折り畳め、軽量で、伸縮性に優れているのみならず、良好な装用感を有する携帯保温具が得られるのである。
【００１２】
なお、添え糸編み構成ではなく、弾性糸を芯糸とするカバーリング糸１本のみで筒状に平編しているので、伸縮性に富む平編構成の特徴と弾性糸の伸縮性が合わさり、携帯保温具としても極めて良好な伸縮性が得られることも特徴である。具体的には、本携帯保温具は典型的には手で引き伸ばすと３倍以上にも伸びることができ、装用を容易にすばやく行えることに寄与している。
【００１３】
（２）上記説明した課題を解決するため、本考案においては、
前記芯糸はポリウレタン弾性糸である、
ことを特徴とする（１）に記載の携帯保温具としている。
【００１４】
本考案に係る芯糸としては、細くても比較的丈夫で弾性に富むポリウレタン弾性糸を使用することが好ましい。薄手の携帯保温具としても十分な弾性・強度が得られるからである。また、ポリウレタン弾性糸は、様々な太さ・特性のものが大量に市場に流通しており、入手性や経済性の点でも優れている。
【００１５】
（３）上記説明した課題を解決するため、本考案においては、
前記鞘糸はポリプロピレン糸、ポリエステル糸、ポリエチレン糸、ナイロン糸、綿糸、アクリル糸のいずれかである、
ことを特徴とする（１）または（２）に記載の携帯保温具としている。
【００１６】
本考案に係る鞘糸としては、ポリプロピレン糸を使用することが好ましい。ポリプロピレンは、樹脂中でもっとも軽量であり、かつ、熱伝導率も極めて低いため、軽量かつ保温性に優れた携帯保温具を得ることができるからである。なお、鞘糸としてポリエステル糸やナイロン糸を使用することも可能である。これらは特有の美しい風合いを有しており、また、比較的強靭でありポリプロピレンと比較すると吸水性が高いという特徴がある。この為、美観に優れ、汗がたまるといった不快感を発生しにくく、比較的丈夫な携帯繊維製品を得ることができるからである。なお、ポリエステル糸やナイロン糸を鞘糸とすると、ポリプロピレン糸を鞘糸とした場合と比較して多少保温性が低くなるはずであるが、肌寒さや関節の冷えの緩和、及び、他の防寒具の補助的な利用を主目的とする本考案にとっては大きな問題にならない。
【００１７】
また、鞘糸として綿糸を使用することも可能である。綿糸は肌触りがよく吸湿性に富むため、保温性よりも装用感を重視する場合に特に好ましい選択である。さらに、鞘糸としてアクリル糸を使用することも可能である。アクリル糸はふんわりとした柔らかさ（バルキー性）に富み、装用した際に好ましい暖かな肌触りが感じられるため、携帯保温具の装用者が満足感を得やすいという効果があるからである。
【００１８】
（４）上記説明した課題を解決するため、本考案においては、
前記芯糸は太さが１０デニール乃至４０デニールとされている、
ことを特徴とする（１）〜（３）のいずれかに記載の携帯保温具としている。
【００１９】
本考案に係る芯糸には、折り畳んだ際のコンパクトさ、良好な伸縮性や経済性などを実現するために適切な太さがあり、具体的には１０デニール乃至４０デニールの太さとするとよい。細すぎると、携帯保温具の締付力が弱くなりすぎるほか切れやすくなるなど強度面で問題を生じるし、太すぎるとコンパクトさや伸縮性などが損なわれるのみならず原料糸のコストも高くなってしまう。そこで、前記のような範囲の太さとすることで良好な結果が得られるのである。なお、より好ましくは、２０デニール程度の太さの糸を選択すると良く、この場合に伸縮性や締付力、経済性などのバランスが最良のものが得られる。ところで、デニールとは糸の太さの目安として一般的に使用されている代用単位であり、糸９０００メートルあたりのグラム数を太さの目安としたものである。
【００２０】
（５）上記説明した課題を解決するため、本考案においては、
前記鞘糸は太さが７０デニール乃至２５０デニールとされている、
ことを特徴とする（１）〜（４）のいずれかに記載の携帯保温具としている。
【００２１】
本考案に係る鞘糸は、良好な風合いや装用感を実現するために適切な太さがあり、具体的には７０デニール乃至２５０デニールの太さとするとよい。細すぎると、カバーリングが不十分となって風合いや肌触り等の装用感を損ねてしまう一方、太すぎると軽量さや折り畳んだ際のコンパクトさなどが損なわれるのみならず糸のコストも高くなってしまうからである。そこで、前記のような範囲の太さとすることで良好な結果が得られるのである。なお、より好ましくは、１７０デニール程度の太さの糸を選択すると良く、この場合に良好な風合いや経済性等のバランスが最良のものが得られる。
【００２２】
（６）上記説明した課題を解決するため、本考案においては、
前記鞘糸は中空糸である、
ことを特徴とする（１）〜（５）のいずれかに記載の携帯保温具としている。
【００２３】
中空糸とは、糸を構成する繊維内に中空部分が存在するものである。中空部分は空気であるので、一般に中空糸は非常に断熱性が高く、かつ、軽量であるという特徴があるので、本携帯保温具に使用することで、折り畳んだ際にコンパクトになり軽量でありながら比較的保温性に優れたものを得られるという利点がある。
【００２４】
（７）上記説明した課題を解決するため、本考案においては、
前記カバーリング糸の撚りは１ｍあたり１００回乃至５００回とされている、
ことを特徴とする（１）〜（６）のいずれかに記載の携帯保温具としている。
【００２５】
カバーリング糸の撚りを多くするとより厚く詰まった印象の編地が得られ、この場合は鞘糸が密であるために肌触りや風合いに優れたものとなる傾向がある。逆にカバーリング糸の撚りを少なくすると薄く隙間のある印象の編地が得られ、鞘糸が疎であるために肌触りや風合いの点ではやや劣ったものとなりやすい傾向がある。本携帯保温具では、撚り数をカバーリング糸１ｍあたり１００回乃至５００回とすることで良好な風合い・装用感を得ることができ、同時に軽量さや折り畳んだ際のコンパクトさなども損なわれない。なお、より好ましくは、撚り数をカバーリング糸１ｍあたり１２０回程度とすることで、最良の風合い・装用感が得られる。
【００２６】
（８）上記説明した課題を解決するため、本考案においては、
筒状の本体の両端開口部付近にゴム糸を備えている、
ことを特徴とする（１）〜（７）のいずれかに記載の携帯保温具としている。
【００２７】
本携帯保温具は、本格的な防寒具としての利用を主な用途として想定しているのではなく、屋内や公共交通機関利用時等に肌寒さや関節の冷えを感じた際に手軽に速やかに装用する、あるいは手袋や靴下のような他の防寒具の補助的な使い方を主な用途として想定したものであるので、本携帯保温具を装用した状態で激しい運動をした場合に、ズレ等が発生することは必ずしも問題ではない。しかし、本携帯保温具を肘や膝の保温具として適用した場合、これら間接部は事務作業程度であっても大きな動きを伴うことが多く、これに伴って発生するズレが装用者にとって不便に感じられる場合が想定される。そこで、筒状の編地からなる本携帯保温具の両端開口部付近にゴム糸を備え、この部分の締付力によって装用時のズレの発生を防止することが好ましい。
【００２８】
（９）上記説明した課題を解決するため、本考案においては、
全編地面積の２０％以下の面積の編地が添え糸編構成とされている、
ことを特徴とする（１）〜（８）のいずれかに記載の携帯保温具としている。
【００２９】
すでに説明したとおり、本考案は弾性糸を芯糸として鞘糸を巻きつけたカバーリング糸１本のみで筒状に平編して成ることを特徴としており、これによって良好な伸縮性と極めて薄い編地であることを特徴とする携帯保温具を得ている。しかし、主に意匠上の理由や商標上の理由により、携帯保温具の一部に文字やロゴを表示したい場合がある。つまり、需要者が好むデザインを実現する要素として文字やロゴが効果的であったり、これらが需要者が商品を選択する際の手がかりとなったりするからである。
【００３０】
ところが、カバーリング糸一本のみで編製することを特徴とする本携帯保温具は、このような文字やロゴを編地で表現することが困難である。そこで、文字やロゴを表示したい部位のみを、カバーリング糸に加えて補強糸を添えて編製する添え糸編構成とすることが好ましい。カバーリング糸と異なる色の補強糸を用いることで、文字やロゴを明瞭に表現することができるからである。なお、添え糸編構成とした部分は、編地が厚めとなり、伸縮性も劣ることになるが、この特徴は本携帯保温具の特徴を損なうものである。従って、本携帯保温具においては、添え糸編み構成とされる編地の面積が全編地面積の２０％以下となるようにすることが好ましい。
【００３１】
（１０）上記説明した課題を解決するため、本考案においては、
前記携帯保温具は、レッグウォーマー、レッグカバー、アームウォーマー、アームカバー、リストウォーマー、足首ウォーマー、腹巻のいずれかである、
ことを特徴とする（１）〜（９）のいずれかに記載の携帯保温具としている。
【００３２】
本携帯保温具は、折り畳むとコンパクトで携帯が容易であり、良好な伸縮性を備えることからすこぶる着脱が容易で装用者の動きを妨げることもほとんど無いので、脚部、腕部はもちろん、膝関節部や肘関節部の保温具として極めて都合が良い。また、薄手の保温具であるので、筒状の編地を折り返して二重にすることで、手首や足首の保温具として利用するにも都合が良い。従って、本携帯保温具は、レッグウォーマー、レッグカバー、アームウォーマー、アームカバー、リストウォーマー、足首ウォーマーに適用することが好ましい。
【００３３】
また、腹巻も本考案に係る携帯保温具の好ましい適用例の一つである。薄手の保温具であるので、他の衣類と併用しても外見への影響がほとんど無く、防寒具のみでは不足する保温性を、携帯している本携帯保温具に係る腹巻によって必要に応じて補うという利用を自由に行えるからである。なお、一般に腹巻は径が大きく、レッグウォーマー等用の装置で編製することは困難であるが、大口径の編機によれば編製可能であり、これは当業者であれば容易になし得ることである。
【００３４】
（１１）上記説明した課題を解決するため、本考案においては、
前記携帯保温具は、レッグウォーマー、レッグカバー、アームウォーマー、アームカバー、リストウォーマー、足首ウォーマーのいずれかであり、かつ、その重量が１５ｇ乃至２５ｇとされている、
ことを特徴とする（１）〜（９）のいずれかに記載の携帯保温具としている。
【００３５】
本携帯保温具は編地からなるので、使用する糸の太さや密度、編地のピッチや針立ての違いによって様々な風合い・強度のものが得られる。しかし、折り畳むとコンパクトで携帯容易であって、本保温具の目的に合致した程度の良好な伸縮性を備えには一定の条件があり、具体的には、本携帯保温具の総重量が１５ｇ乃至２５ｇとなるように設定されることが好ましい。
【考案の効果】
【００３６】
（１）弾性糸を芯糸として鞘糸を巻きつけたカバーリング糸１本のみで筒状に平編して成ることを特徴とする携帯保温具としたので、薄手の編地となり、軽量で小さく折り畳めるため鞄や衣服のポケット等に入れて携帯することが容易であり、しかも、伸縮性に優れて容易に着脱できる携帯保温具が得られるという効果がある。また、カバーリング糸としたことで、鞘糸の選択によって肌触りや風合いが良好な携帯保温具が得られるという効果がある。
【００３７】
（２）芯糸に細くても比較的丈夫で弾性に富むポリウレタン弾性糸を使用したので、薄手でありつつも十分な弾性・強度の携帯保温具が得られるという効果がある。また、入手性や経済性の点でも優れているため、携帯保温具をより安価に供給可能であるという効果もある。
【００３８】
（３）鞘糸にポリプロピレン糸を使用したので、軽量でありかつ保温性に優れた携帯保温具が得られるという効果がある。また、鞘糸にポリエステル糸やナイロン糸を使用した場合、特有の美しい風合いの携帯保温具が得られるほか、汗がたまるといった不快感を発生しにくい、装用感に優れた携帯保温具が得られるという効果がある。鞘糸に綿糸を使用した場合、肌触りの良さと吸湿性の良さから装用感に優れた携帯保温具が得られるという効果がある。また、鞘糸にアクリル糸を使用した場合、装用した際に好ましい暖かな肌触りが感じられ、装用者が満足感を得られやすいという効果がある。
【００３９】
（４）芯糸の太さを１０デニール乃至４０デニールとしたので、適当な締付力と強度、伸縮性を備え、かつ、許容できる範囲のコストの携帯保温具が得られるという効果がある。なお、芯糸の太さを２０デニール程度とすると、この特徴は益々顕著となる。
【００４０】
（５）鞘糸の太さを７０デニール乃至２５０デニールとしたので、良好な風合いと肌触り等の装用感を備え、かつ、十分に軽量で折り畳んだ際にコンパクトになる携帯保温具が得られるという効果がある。なお、鞘糸の太さを１７０デニール程度とすると、この特徴は益々顕著となる。
【００４１】
（６）鞘糸を中空糸としたので、より軽量で保温性にすぐれた携帯保温具が得られるという効果がある。
【００４２】
（７）カバーリング糸の撚りを１ｍあたり１００回乃至５００回としたので、良好な風合い・装用感と軽量さ・折り畳んだ際のコンパクトさを両立した携帯保温具が得られるという効果が得られる。なお、カバーリング糸の撚りを１ｍあたり１２０回程度とすると、この特徴は益々顕著となる。
【００４３】
（８）携帯保温具の筒状の本体の両端開口部付近にゴム糸を備えたので、肘や膝を含む動きの大きな部位に装用した場合でもズレが発生しにくい携帯保温具が得られるという効果が得られる。
【００４４】
（９）全編地面積の２０％以下の面積の編地が添え糸編構成とされているので、携帯保温具に文字やロゴを表示して需要者が好むデザインが実現され、及び、需要者が商品を選択する際の手がかりとすることができるという効果がある。さらに、添え糸編構成の編地の面積が一定割合以下とされているので、薄さや伸縮性といった本携帯保温具の特徴はほとんど損なわれないという効果がある。
【００４５】
（１０）レッグウォーマー、レッグカバー、アームウォーマー、アームカバー、リストウォーマー、足首ウォーマー、腹巻のいずれかに本考案を適用したので、折り畳むとコンパクトで携帯が容易であり、良好な伸縮性を備えることからすこぶる着脱が容易で装用者の動きを妨げることもほとんど無いという本携帯保温具の特徴を備えたそれぞれの製品を提供することができる。また、腹巻に本考案を適用した場合には、外見への影響なく他の防寒具で不足する保温性を補うことができる製品を提供することができる。
【００４６】
（１１）レッグウォーマー、レッグカバー、アームウォーマー、アームカバー、リストウォーマー、足首ウォーマーに本考案を適用し、その重量を１５ｇ乃至２５ｇとしたので、折り畳むとコンパクトで携帯容易であって、本保温具の目的に合致した程度の良好な伸縮性を備える携帯保温具とすることができるという効果がある。
【図面の簡単な説明】
【００４７】
【図１】本考案に係る携帯保温具の一実施例を示す説明図である。
【図２】本考案に係る携帯保温具の編地の様子を示す説明図である。
【考案を実施するための形態】
【００４８】
以下、図面を用いて本考案に掛かる携帯保温具の実施例について説明する。
【実施例１】
【００４９】
図１は、本考案に係る携帯保温具の一実施例であるレッグウォーマーを示す説明図であり、図１（Ａ）がレッグウォーマーの側面図、図２（Ｂ）がＡ−Ａ’部の断面図を示している。また、図２はレッグウォーマーの編地部分の様子を示す説明図であり、図１のレッグウォーマーの一部分を大きく拡大して観察した状態に相当するものである。さらに、図２の吹き出し部には、レッグウォーマーの編地を構成する糸の様子を示している。
【００５０】
本考案に係る携帯保温具であるレッグウォーマー（１）は、カバーリング糸（３）一本のみを筒状に平編して編地を構成している。また、カバーリング糸（３）は、その芯糸（４）が太さ２０デニールのポリウレタン弾性糸、その鞘糸（５）が太さ１７０デニールのポリプロピレン中空糸であって、撚り数がカバーリング糸１ｍあたりで１２０回のものを使用した。
【００５１】
レッグウォーマー（１）は、筒状に編製された両開口部付近にゴム糸を編み込んだゴム糸編込部を備えた構造としており、全体の重量は約２０ｇとしている。
【００５２】
このようなレッグウォーマーは、薄い編地で折り畳むと手のひらに容易に納まる程度のコンパクトな大きさになり、かばんや衣類のポケットに収納して携帯することが極めて容易である。また、弾性に富むポリウレタン弾性糸を芯糸とするカバーリング糸一本で収縮性に富む平編の編地を編み上げたものであるので、極めて収縮性に富み、手で引き伸ばすと容易に３倍以上の長さに伸ばすことができるほどである。この収縮性により、携帯しているレッグウォーマーを容易にすばやく装用することが可能であり、また、薄い編地であるために装用時もすっきりとした外観となる。
【００５３】
さらに、断熱性にきわめて優れたポリプロピレン中空糸を鞘糸とするカバーリング糸で編製されているので、薄い編地にも関わらず比較的良好な断熱性を備えており、本格的な防寒具の補助的に使用する保温具として十分な保温性を備えている。また、カバーリング糸の撚り数を特定の範囲としているので、レッグウォーマーの風合いや肌触りに代表される装用感も良好である。
【００５４】
以上、携帯保温具の一実施例としてレッグウォーマーを例として説明したが、本考案に係る携帯保温具はこれ以外に、アームウォーマーやリストウォーマーをはじめ、様々な保温具として実施することができることは言うまでもない。また、極めて収縮性に富む薄い編地からなるので、これを中央部で折り返して編地を二重の状態とし、この状態で手首や足首用の保温具として利用することも可能である。また、極めて良好な収縮性は、本携帯保温具を膝や肘をはじめとする関節部のように動きの大きな部位に装用した場合でも、装用者の動きを妨げることなく良好な装用感を維持することができる。
【産業上の利用可能性】
【００５５】
以上説明したとおり、本考案はコンパクトに折り畳めてかばんや衣類のポケットに収納して容易に携帯することが可能であり、伸縮性に優れて着脱が容易である保温具を提供するものであり、産業上の価値は頗る高い。
【符号の説明】
【００５６】
１    レッグウォーマー
２    ゴム糸編込部
３    カバーリング糸
４    芯糸
５    鞘糸
【図１】
0003204170.tif 000003
【図２】
0003204170.tif 000004